(57)【要約】【課題】ユーザの所望の機能を実行することができない画像処理装置を早期に特定することが可能な技術を提供する。【解決手段】管理装置（たとえば管理サーバ９０）は、複数の画像処理装置の少なくとも一部の装置（たとえばＭＦＰ１０ａ〜１０ｃ）の保有機能に基づいて、設定可能値相違項目（特定のジョブ（たとえばコピージョブ）に関する複数の設定項目のうち、設定可能な設定値が少なくとも２つのＭＦＰ１０において相違する設定項目）を抽出する（ステップＳ２２）。そして、当該管理サーバ９０は、抽出された設定可能値相違項目（たとえば設定項目「カラー」）に関する設定画面（「カラー」設定画面）を設定操作装置（たとえば、ユーザＵ１の外部端末５０）に表示させる（ステップＳ２３，Ｓ１４）。【選択図】図５
2018190056.tif 000002
【特許請求の範囲】
【請求項１】
複数の画像処理装置を管理する管理装置であって、
前記複数の画像処理装置の少なくとも一部の装置の保有機能に基づいて、特定のジョブに関する複数の設定項目のうち、設定可能な設定値が少なくとも２つの画像処理装置において相違する設定項目である設定可能値相違項目を抽出する抽出手段と、
前記抽出手段によって抽出された前記設定可能値相違項目に関する設定画面を、ユーザによる設定操作を受け付ける設定操作装置に表示させる表示制御手段と、
を備えることを特徴とする管理装置。
【請求項２】
請求項１に記載の管理装置において、
前記表示制御手段は、前記特定のジョブに関する複数の設定画面のうち前記設定可能値相違項目に関する設定画面を、前記設定操作装置において優先的に表示させることを特徴とする管理装置。
【請求項３】
請求項１または請求項２に記載の管理装置において、
前記表示制御手段は、複数の設定可能値相違項目が抽出された場合、予め定められた優先順位を有する前記複数の設定可能値相違項目のうち、上位所定数の設定可能値相違項目に関する設定画面を前記設定操作装置に表示させることを特徴とする管理装置。
【請求項４】
請求項３に記載の管理装置において、
前記優先順位は、ジョブの種類ごとに予め定められていることを特徴とする管理装置。
【請求項５】
請求項３または請求項４に記載の管理装置において、
前記複数の設定可能値相違項目の前記優先順位は、前記複数の設定項目に関する設定変更履歴に基づいて、デフォルト値から設定変更された回数が多いほど高い順位を有するように定められることを特徴とする管理装置。
【請求項６】
請求項１から請求項５のいずれかに記載の管理装置において、
前記抽出手段は、所定の基準に基づいて、前記少なくとも一部の装置を前記複数の画像処理装置の中から選択することを特徴とする管理装置。
【請求項７】
請求項６に記載の管理装置において、
前記所定の基準は、前記特定のジョブの実行可能状態を有する画像処理装置であることを含むことを特徴とする管理装置。
【請求項８】
請求項６または請求項７に記載の管理装置において、
前記所定の基準は、前記ユーザによる利用経験を有する画像処理装置であることを含むことを特徴とする管理装置。
【請求項９】
請求項６から請求項８のいずれかに記載の管理装置において、
前記所定の基準は、前記設定操作装置から所定範囲内に存在する画像処理装置であることを含むことを特徴とする管理装置。
【請求項１０】
請求項１から請求項９のいずれかに記載の管理装置において、
前記設定可能値相違項目に関して前記ユーザによって設定された設定値を取得するとともに、前記設定操作装置の位置情報を取得する取得手段と、
前記保有機能と前記取得手段によって取得された前記設定値とに基づいて、前記少なくとも一部の装置のうち前記設定値に対応する機能を実行することができない画像処理装置である実行不可装置を特定する特定手段と、
前記取得手段によって取得された前記位置情報に基づいて、前記ユーザの移動状況を判定する判定手段と、
前記実行不可装置の設置場所へと前記ユーザが移動している旨が前記判定手段によって判定される場合、前記ユーザの移動先の画像処理装置が前記設定値に対応する機能を実行することができない旨を、前記ユーザに通知する通知手段と、
をさらに備えることを特徴とする管理装置。
【請求項１１】
請求項１から請求項９のいずれかに記載の管理装置において、
前記設定可能値相違項目に関して前記ユーザによって設定された設定値を取得する取得手段と、
前記保有機能と前記取得手段によって取得された前記設定値とに基づいて、前記少なくとも一部の装置のうち前記設定値に対応する機能を実行することが可能な画像処理装置である実行可能装置を特定する特定手段と、
特定された前記実行可能装置の少なくとも１つを前記ユーザに通知する通知手段と、
をさらに備えることを特徴とする管理装置。
【請求項１２】
請求項１から請求項１１のいずれかに記載の管理装置において、
前記管理装置は、前記複数の画像処理装置とは異なる外部装置であることを特徴とする管理装置。
【請求項１３】
請求項１から請求項１１のいずれかに記載の管理装置において、
前記管理装置は、前記複数の画像処理装置のうちの一の画像処理装置であることを特徴とする管理装置。
【請求項１４】
複数の画像処理装置を管理する管理装置に内蔵されたコンピュータに、
ａ）前記複数の画像処理装置の少なくとも一部の装置の保有機能に基づいて、特定のジョブに関する複数の設定項目のうち、設定可能な設定値が少なくとも２つの画像処理装置において相違する設定項目である設定可能値相違項目を抽出するステップと、
ｂ）前記ステップａ）にて抽出された前記設定可能値相違項目に関する設定画面を、ユーザによる設定操作を受け付ける設定操作装置に表示させるステップと、
を実行させるためのプログラム。
【請求項１５】
管理システムであって、
複数の画像処理装置を管理する管理装置と、
ユーザによる設定操作を受け付ける設定操作装置と、
を備え、
前記管理装置は、
前記複数の画像処理装置の少なくとも一部の装置の保有機能に基づいて、特定のジョブに関する複数の設定項目のうち、設定可能な設定値が少なくとも２つの画像処理装置において相違する設定項目である設定可能値相違項目を抽出する抽出手段と、
前記抽出手段によって抽出された前記設定可能値相違項目に関する設定画面を前記設定操作装置に表示させる表示制御手段と、
を有し、
前記設定操作装置は、
前記設定可能値相違項目に関する設定画面を表示する表示手段、
を有することを特徴とする管理システム。
【発明の詳細な説明】
【技術分野】
【０００１】
本発明は、複数の画像処理装置を管理する管理装置、およびそれに関連する技術に関する。
【背景技術】
【０００２】
複数の画像処理装置のうちユーザの所望の機能を実行することが可能な画像処理装置（実行可能装置）を管理装置が特定する技術が存在する。
【０００３】
たとえば、特許文献１に記載の技術では、ユーザは、外部端末（クライアント端末）を用いて印刷ジョブの印刷設定を予め行い、当該外部端末は、ユーザによって設定された設定値（設定内容）を管理装置に送信する。そして、管理装置は、複数の画像処理装置のうちユーザによって予め設定された設定値に従った印刷ジョブを実行することが可能な画像処理装置を当該実行可能装置として特定する。
【先行技術文献】
【特許文献】
【０００４】
【特許文献１】特開２０１３−２０３７４号公報
【発明の概要】
【発明が解決しようとする課題】
【０００５】
しかしながら、上記特許文献１に記載の技術では、ジョブの設定が完了するまで、管理装置は当該実行可能装置を特定することができない。換言すれば、上記特許文献１に記載の技術では、ジョブの設定が完了するまで、管理装置は、当該ジョブに関する複数の機能のうちユーザの所望の機能を実行できない画像処理装置（実行不可装置）を特定することができない。たとえば、コピージョブの設定がユーザによって行われる場合、当該コピージョブの設定が完了するまで、管理装置は、コピージョブに関する複数の機能のうちユーザの所望の機能（たとえばフルカラー印刷機能）を実行できない画像処理装置（実行不可装置）を特定することができない。
【０００６】
そこで、本願発明は、ユーザの所望の機能を実行することができない画像処理装置を早期に特定することが可能な技術を提供することを課題とする。
【課題を解決するための手段】
【０００７】
上記課題を解決すべく、請求項１の発明は、複数の画像処理装置を管理する管理装置であって、前記複数の画像処理装置の少なくとも一部の装置の保有機能に基づいて、特定のジョブに関する複数の設定項目のうち、設定可能な設定値が少なくとも２つの画像処理装置において相違する設定項目である設定可能値相違項目を抽出する抽出手段と、前記抽出手段によって抽出された前記設定可能値相違項目に関する設定画面を、ユーザによる設定操作を受け付ける設定操作装置に表示させる表示制御手段と、を備えることを特徴とする。
【０００８】
請求項２の発明は、請求項１の発明に係る管理装置において、前記表示制御手段は、前記特定のジョブに関する複数の設定画面のうち前記設定可能値相違項目に関する設定画面を、前記設定操作装置において優先的に表示させることを特徴とする。
【０００９】
請求項３の発明は、請求項１または請求項２の発明に係る管理装置において、前記表示制御手段は、複数の設定可能値相違項目が抽出された場合、予め定められた優先順位を有する前記複数の設定可能値相違項目のうち、上位所定数の設定可能値相違項目に関する設定画面を前記設定操作装置に表示させることを特徴とする。
【００１０】
請求項４の発明は、請求項３の発明に係る管理装置において、前記優先順位は、ジョブの種類ごとに予め定められていることを特徴とする。
【００１１】
請求項５の発明は、請求項３または請求項４の発明に係る管理装置において、前記複数の設定可能値相違項目の前記優先順位は、前記複数の設定項目に関する設定変更履歴に基づいて、デフォルト値から設定変更された回数が多いほど高い順位を有するように定められることを特徴とする。
【００１２】
請求項６の発明は、請求項１から請求項５のいずれかの発明に係る管理装置において、前記抽出手段は、所定の基準に基づいて、前記少なくとも一部の装置を前記複数の画像処理装置の中から選択することを特徴とする。
【００１３】
請求項７の発明は、請求項６の発明に係る管理装置において、前記所定の基準は、前記特定のジョブの実行可能状態を有する画像処理装置であることを含むことを特徴とする。
【００１４】
請求項８の発明は、請求項６または請求項７の発明に係る管理装置において、前記所定の基準は、前記ユーザによる利用経験を有する画像処理装置であることを含むことを特徴とする。
【００１５】
請求項９の発明は、請求項６から請求項８のいずれかの発明に係る管理装置において、前記所定の基準は、前記設定操作装置から所定範囲内に存在する画像処理装置であることを含むことを特徴とする。
【００１６】
請求項１０の発明は、請求項１から請求項９のいずれかの発明に係る管理装置において、前記設定可能値相違項目に関して前記ユーザによって設定された設定値を取得するとともに、前記設定操作装置の位置情報を取得する取得手段と、前記保有機能と前記取得手段によって取得された前記設定値とに基づいて、前記少なくとも一部の装置のうち前記設定値に対応する機能を実行することができない画像処理装置である実行不可装置を特定する特定手段と、前記取得手段によって取得された前記位置情報に基づいて、前記ユーザの移動状況を判定する判定手段と、前記実行不可装置の設置場所へと前記ユーザが移動している旨が前記判定手段によって判定される場合、前記ユーザの移動先の画像処理装置が前記設定値に対応する機能を実行することができない旨を、前記ユーザに通知する通知手段と、をさらに備えることを特徴とする。
【００１７】
請求項１１の発明は、請求項１から請求項９のいずれかの発明に係る管理装置において、前記設定可能値相違項目に関して前記ユーザによって設定された設定値を取得する取得手段と、前記保有機能と前記取得手段によって取得された前記設定値とに基づいて、前記少なくとも一部の装置のうち前記設定値に対応する機能を実行することが可能な画像処理装置である実行可能装置を特定する特定手段と、特定された前記実行可能装置の少なくとも１つを前記ユーザに通知する通知手段と、をさらに備えることを特徴とする。
【００１８】
請求項１２の発明は、請求項１から請求項１１のいずれかの発明に係る管理装置において、前記管理装置は、前記複数の画像処理装置とは異なる外部装置であることを特徴とする。
【００１９】
請求項１３の発明は、請求項１から請求項１１のいずれかの発明に係る管理装置において、前記管理装置は、前記複数の画像処理装置のうちの一の画像処理装置であることを特徴とする。
【００２０】
請求項１４の発明は、複数の画像処理装置を管理する管理装置に内蔵されたコンピュータに、ａ）前記複数の画像処理装置の少なくとも一部の装置の保有機能に基づいて、特定のジョブに関する複数の設定項目のうち、設定可能な設定値が少なくとも２つの画像処理装置において相違する設定項目である設定可能値相違項目を抽出するステップと、ｂ）前記ステップａ）にて抽出された前記設定可能値相違項目に関する設定画面を、ユーザによる設定操作を受け付ける設定操作装置に表示させるステップと、を実行させるためのプログラムであることを特徴とする。
【００２１】
請求項１５の発明は、管理システムであって、複数の画像処理装置を管理する管理装置と、ユーザによる設定操作を受け付ける設定操作装置と、を備え、前記管理装置は、前記複数の画像処理装置の少なくとも一部の装置の保有機能に基づいて、特定のジョブに関する複数の設定項目のうち、設定可能な設定値が少なくとも２つの画像処理装置において相違する設定項目である設定可能値相違項目を抽出する抽出手段と、前記抽出手段によって抽出された前記設定可能値相違項目に関する設定画面を前記設定操作装置に表示させる表示制御手段と、を有し、前記設定操作装置は、前記設定可能値相違項目に関する設定画面を表示する表示手段、を有することを特徴とする。
【発明の効果】
【００２２】
請求項１から請求項１５に記載の発明によれば、複数の画像処理装置の少なくとも一部の装置の保有機能に基づいて、特定のジョブに関する複数の設定項目のうち、設定可能な設定値が少なくとも２つの画像処理装置において相違する設定項目である設定可能値相違項目が抽出される。そして、抽出された設定可能値相違項目に関する設定画面が、ユーザの設定操作装置に表示される。そのため、当該特定のジョブの設定において、当該特定のジョブに関する複数の設定項目のうち設定可能値相違項目に関する設定操作がユーザによって早期に行われる。したがって、ユーザの所望の機能を実行することができない画像処理装置を早期に特定することが可能である。
【００２３】
特に、請求項５に記載の発明によれば、デフォルト値から設定変更された回数が多いほど高い順位を有するように複数の設定可能値相違項目の優先順位が定められる。そのため、抽出された複数の設定可能値相違項目のうち、ユーザによって設定変更される可能性が比較的高い設定可能値相違項目に関する設定画面が設定操作装置に表示される。したがって、ユーザの利便性を考慮しつつ、ユーザの所望の機能を実行することができない画像処理装置を早期に特定することが可能である。
【００２４】
また特に、請求項１０に記載の発明によれば、実行不可装置の設置場所へとユーザが移動している旨が判定される場合、設定可能値相違項目に関して設定された設定値に対応する機能を当該ユーザの移動先の画像処理装置が実行することができない旨が、当該ユーザに通知される。したがって、ユーザの所望の機能を実行することができない画像処理装置の設置場所へと移動していることを当該ユーザに早期に通知することが可能である。
【図面の簡単な説明】
【００２５】
【図１】管理システムを示す図である。
【図２】画像処理装置（ＭＦＰ）の機能ブロックを示す図である。
【図３】管理装置（管理サーバ）の機能ブロックを示す図である。
【図４】管理システムにおける動作を示すタイミングチャートである。
【図５】管理システムにおける動作を示す概念図である。
【図６】管理システムにおける動作を示す概念図である。
【図７】トップメニュー画面を示す図である。
【図８】各ＭＦＰの保有機能および各機能に対応する設定項目を示す図である。
【図９】コピージョブに関する優先設定画面を示す図である。
【図１０】コピージョブの設定におけるトップ画面を示す図である。
【図１１】実行不可通知画面を示す図である。
【図１２】利用対象通知画面を示す図である。
【図１３】優先順位管理テーブルを示す図である。
【図１４】設定変更回数管理テーブルを示す図である。
【図１５】ユーザ毎の設定変更回数管理テーブルを示す図である。
【図１６】第２実施形態に係るコピージョブに関する優先設定画面を示す図である。
【図１７】状態管理テーブルを示す図である。
【図１８】変形例に係る優先順位管理テーブルを示す図である。
【図１９】スキャンジョブに関する優先設定画面を示す図である。
【図２０】第２実施形態に係るスキャンジョブに関する優先設定画面を示す図である。
【図２１】変形例に係る実行不可通知画面を示す図である。
【発明を実施するための形態】
【００２６】
以下、本発明の実施形態を図面に基づいて説明する。
【００２７】
＜１．第１実施形態＞
＜１−１．構成概要＞
図１は、本発明に係る管理システム１を示す図である。この管理システム１は、図１に示されるように、複数の画像処理装置１０（１０ａ，１０ｂ，１０ｃ，...）と管理サーバ９０と外部端末５０とを備える。
【００２８】
本システム１における各要素１０，５０，９０は、それぞれ、ネットワーク１０８を介して互いに通信可能に接続される。ネットワーク１０８は、ＬＡＮ（Local Area Network）およびインターネットなどによって構成される。また、当該ネットワーク１０８に対する接続態様は、有線接続であってもよく、あるいは無線接続であってもよい。
【００２９】
外部端末５０は、他の装置（管理サーバ９０、画像処理装置１０）との間でのネットワーク通信が可能な情報入出力端末装置（情報端末）である。ここでは、外部端末５０として、タブレット型端末を例示する。ただし、これに限定されず、外部端末５０は、スマートフォンなどであってもよい。
【００３０】
この管理システム１においては、ユーザ（たとえばユーザＵ１）は、所望の画像処理装置１０のタッチパネル２５（図１参照）において所望のジョブの設定操作を行うことが可能であるとともに、自身の外部端末５０のタッチパネル７５（図１参照）において、所望のジョブの設定操作を行うことも可能である。当該外部端末５０は、ユーザによる設定操作（ジョブに関する設定操作）を受け付ける「設定操作装置」とも称される。
【００３１】
具体的には、外部端末５０には、画像処理装置１０を操作するための操作画面（設定画面等）を用いて外部端末５０において設定操作を行うためのアプリケーションソフトウエアプログラム（「設定操作アプリケーション」とも称する）がインストールされている。外部端末５０は、当該操作画面の画面情報（画面データ）を取得して外部端末５０のタッチパネル７５に表示し、表示された操作画面においてユーザによる操作（設定操作等）を受け付ける。
【００３２】
より詳細には、この管理システム１では、操作画面等の画面データの授受は、外部端末５０と管理サーバ９０との間で行われる。当該管理サーバ９０は、画像処理装置１０を操作するための操作画面の画面データを生成し、生成した操作画面の画面データを外部端末５０に送信する。そして、外部端末５０は、管理サーバ９０から受信した画面データに基づき当該操作画面をタッチパネル７５に表示し、ユーザは、外部端末５０に表示された操作画面において各種操作を行う。
【００３３】
＜１−２．画像処理装置の構成＞
図２は、画像処理装置１０の機能ブロックを示す図である。ここでは、画像処理装置１０として、ＭＦＰ（マルチ・ファンクション・ペリフェラル（Multi-Functional Peripheral））を例示する。なお、ＭＦＰ１０は、画像形成装置あるいは印刷出力装置とも称される。
【００３４】
ＭＦＰ１０は、コピージョブ、スキャンジョブおよびボックス格納ジョブなどを実行することが可能な装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種のジョブを実行することが可能である。
【００３５】
画像読取部２は、ＭＦＰ１０の所定の位置に載置された原稿を光学的に読み取って（すなわちスキャンして）、当該原稿の画像データ（原稿画像データあるいはスキャンデータとも称する）を生成する処理部である。この画像読取部２は、スキャン部であるとも称される。
【００３６】
印刷出力部３は、印刷対象データに基づいて紙などの各種の媒体に画像を印刷出力する出力部である。
【００３７】
通信部４は、公衆回線等を介したファクシミリ通信を行うことが可能な処理部である。さらに、通信部４は、ネットワーク１０８を介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（管理サーバ９０等）との間で各種のデータを授受することが可能である。通信部４は、各種データを送信する送信部４ａと各種データを受信する受信部４ｂとを有する。
【００３８】
格納部５は、ハードディスクドライブ（ＨＤＤ）および半導体メモリ等の記憶装置で構成される。
【００３９】
操作部６は、ＭＦＰ１０に対する操作入力を受け付ける操作入力部６ａと、各種情報の表示出力を行う表示部６ｂとを備えている。
【００４０】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者（ユーザ）からの各種の操作入力を受け付けることが可能である。
【００４１】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク１０８等を経由してダウンロードされてＭＦＰ１０にインストールされるようにしてもよい。
【００４２】
具体的には、図２に示すように、コントローラ９は、当該プログラムの実行により、通信制御部１１と入力制御部１２と表示制御部１３とジョブ制御部１４とを含む各種の処理部を実現する。
【００４３】
通信制御部１１は、他の装置（管理サーバ９０等）との間の通信動作を通信部４等と協働して制御する処理部である。
【００４４】
入力制御部１２は、操作入力部６ａ（タッチパネル２５等）に対するユーザからの操作入力の受付動作等を制御する制御部である。
【００４５】
表示制御部１３は、表示部６ｂ（タッチパネル２５等）における表示動作を制御する処理部である。表示制御部１３は、ＭＦＰ１０を操作するための操作画面等をタッチパネル２５に表示する。
【００４６】
ジョブ制御部１４は、ユーザによる設定内容（設定値）に基づくジョブの実行動作を制御する処理部である。
【００４７】
＜１−３．管理サーバの構成＞
次に、管理サーバ９０の構成について説明する。
【００４８】
管理サーバ９０は、ＭＦＰとは異なる外部装置である、管理システム１を構成する複数のＭＦＰ１０を管理するサーバコンピュータ（外部サーバ装置）である。換言すれば、管理サーバ９０は、管理サーバ９０の管理対象のＭＦＰ１０（複数の管理対象装置）を管理する。
【００４９】
図３は、管理サーバ９０の概略構成を示す機能ブロック図である。
【００５０】
管理サーバ９０は、図３の機能ブロック図に示すように、通信部９４、格納部９５およびコントローラ９９（制御部）等を備えており、これらの各部を複合的に動作させることによって、各種の機能を実現する。
【００５１】
通信部９４は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、管理サーバ９０は、所望の相手先（外部端末５０、各ＭＦＰ１０等）との間で各種のデータを授受することが可能である。通信部９４は、各種データを送信する送信部９４ａと各種データを受信する受信部９４ｂとを有する。
【００５２】
格納部９５は、ハードディスクドライブ（ＨＤＤ）および不揮発性の半導体メモリ等の記憶装置で構成される。当該格納部９５には、複数の管理対象装置（たとえば１０台の管理対象装置）の保有機能（図８も参照）が予め格納（登録）されている。また、格納部９５には、複数の管理対象装置（ＭＦＰ１０ａ，１０ｂ，１０ｃ，...）のそれぞれの設置場所（設置位置）を示す設置位置情報もが格納（登録）されている。さらに、管理サーバ９０は、格納部９５を用いて、管理システム１の各ユーザごとに、当該各ユーザによる利用経験（ログイン経験）を有するＭＦＰ１０を管理している。
【００５３】
コントローラ９９は、管理サーバ９０に内蔵され、管理サーバ９０を統括的に制御する制御装置である。コントローラ９９は、ＣＰＵおよび各種の半導体メモリ（ＲＡＭおよびＲＯＭ）等を備えるコンピュータシステムとして構成される。コントローラ９９は、ＣＰＵにおいて、格納部９５内に格納されている所定のプログラムを実行することによって、各種の処理部を実現する。なお、当該プログラム（詳細にはプログラムモジュール群）は、ＵＳＢメモリなどの可搬性の記録媒体に記録され、当該記録媒体から読み出されて管理サーバ９０にインストールされてもよい。あるいは、当該プログラムは、ネットワーク１０８等を経由してダウンロードされて管理サーバ９０にインストールされるようにしてもよい。
【００５４】
具体的には、図３に示すように、コントローラ９９は、当該プログラムの実行により、通信制御部８１と抽出部８２と特定部８３と画面生成部８４と判定部８５とを含む各種の処理部を実現する。
【００５５】
通信制御部８１は、通信部９４と協働して、他の装置（外部端末５０，ＭＦＰ１０等）との間の通信動作を制御する処理部である。たとえば、通信制御部８１は、ユーザによって指定されたジョブ（指定ジョブ）（たとえばコピージョブ）に関する設定画面の画面情報（画面データ（ビットマップ画像データ等））を外部端末５０に送信して当該設定画面を外部端末５０に表示させる。当該通信制御部８１は、外部端末５０における設定画面（操作画面）の表示制御を行うことから、表示制御部とも称される。また、通信制御部８１は、外部端末５０に表示された操作画面（設定画面）内での操作位置情報（押下位置情報）を当該外部端末５０から取得する。さらに、通信制御部８１は、ユーザの外部端末５０の位置情報（端末位置情報）をも当該外部端末５０から取得する。
【００５６】
抽出部８２は、当該指定ジョブに関して設定可能値相違項目（次述）の抽出処理を実行する処理部である。設定可能値相違項目は、ユーザの指定ジョブに関する複数の設定項目のうち、設定可能な設定値が少なくとも２つのＭＦＰ１０において相違する設定項目である。抽出部８２は、複数のＭＦＰ１０のそれぞれの保有機能に基づいて、当該設定可能値相違項目を抽出する。
【００５７】
特定部８３は、設定可能値相違項目に関してユーザによって設定（入力）された設定値に基づいて、設定可能値相違項目に関してユーザによって設定された設定値に対応する機能を実行することができないＭＦＰ１０（実行不可装置とも称する）を特定する。
【００５８】
画面生成部（画像生成部）８４は、外部端末５０に表示させる操作画面（設定画面等）を生成する処理部である。具体的には、画面生成部８４は、外部端末５０に表示された操作画面（設定画面）内での操作位置情報（押下位置情報）に基づいて、当該操作画面における操作入力（設定操作等）を受け付ける。そして、画面生成部８４は、当該操作位置情報に対応する新たな操作画面（設定画面）を生成する。生成された新たな操作画面は、通信制御部８１によって外部端末５０に送信されて当該外部端末５０に表示される。
【００５９】
判定部８５は、各種の判定処理を実行する処理部である。たとえば、判定部８５は、外部端末５０の位置情報に基づいて、当該外部端末５０のユーザ（ユーザＵ１）の移動状況を判定する。
【００６０】
＜１−４．動作＞
図５および図６は、本システム１における動作を示す概念図である。なお、ここでは、ユーザＵ１が、（自らの判断で）ＭＦＰ１０ａの設置場所へと移動しながら、自身の外部端末５０を用いて、所望のジョブ（たとえばコピージョブ）に関する設定を行う状況を想定する。
【００６１】
具体的には、管理サーバ９０は、複数の管理対象装置のうちの少なくとも一部の装置の保有機能に基づいて、設定可能値相違項目を抽出する。そして、管理サーバ９０は、抽出された設定可能値相違項目に関する設定画面を外部端末５０において自動的に且つ優先的に表示させる。
【００６２】
その後、管理サーバ９０は、当該設定可能値相違項目に関してユーザＵ１によって設定された設定値に基づいて、当該少なくとも一部の装置のうち当該設定値に対応する機能を実行することができないＭＦＰ１０（実行不可装置）を特定する。
【００６３】
さらに、実行不可装置が特定された場合において、当該実行不可装置の設置場所へとユーザＵ１が移動している旨が判定されるときには、管理サーバ９０は、ユーザＵ１の移動先のＭＦＰ１０が当該設定値に対応する機能を実行できない旨を当該ユーザＵ１に通知する。
【００６４】
＜各ＭＦＰ１０の保有機能について＞
本システム１における動作の詳細について説明する前に、各ＭＦＰ１０の保有機能について説明する。
【００６５】
図８は、管理対象装置の保有機能および各機能に対応する設定項目を示す図である。なお、図８において、記号「○」は、対応する機能をＭＦＰ１０が有する（実行することができる）旨を示し、記号「−」は、対応する機能をＭＦＰ１０が有しない（実行することができない）旨を示す。
【００６６】
具体的には、管理サーバ９０は、コピージョブにおける複数の機能（コピー関連機能とも称する）およびスキャンジョブにおける複数の機能（スキャン関連機能とも称する）等について、各管理対象装置の保有状況を管理している。なお、ここでは、図示の都合上、管理対象装置の一部（ＭＦＰ１０ａ〜１０ｃ）の保有機能について主に説明するが、管理サーバ９０は、全ての管理対象装置（ここでは１０台のＭＦＰ１０）の保有機能について管理している。
【００６７】
まず、各管理対象装置における複数のコピー関連機能の保有状況について説明する。
【００６８】
具体的には、ＭＦＰ１０ａとＭＦＰ１０ｃとは、両面印刷機能を有する。一方、ＭＦＰ１０ｂは、両面印刷機能を有しない。そのため、両面印刷機能に対応する設定項目「両面／片面」に関して、ＭＦＰ１０ａ，１０ｃでは、設定値「両面」を設定（入力）することが可能であるものの、ＭＦＰ１０ｂでは、当該設定値「両面」を設定することができない。なお、ＭＦＰ１０ａ〜１０ｃのそれぞれは、片面印刷機能を有し、ＭＦＰ１０ａ〜１０ｃのそれぞれにおいては、当該設定項目「両面／片面」に関して設定値「片面」を設定することが可能である。
【００６９】
また、ＭＦＰ１０ｂ，１０ｃは、フルカラー印刷機能を有する。一方、ＭＦＰ１０ａは、フルカラー印刷機能を有しない。そのため、フルカラー印刷機能に対応する設定項目「カラー」に関して、ＭＦＰ１０ｂ，１０ｃでは、設定値「フルカラー」を設定することが可能であるものの、ＭＦＰ１０ａでは、当該設定値「フルカラー」を設定することができない。なお、ＭＦＰ１０ａ〜１０ｃのそれぞれは、グレースケール印刷機能を有し、ＭＦＰ１０ａ〜１０ｃのそれぞれにおいては、当該設定項目「カラー」に関して設定値「グレースケール」を設定することが可能である。
【００７０】
さらに、所定サイズの用紙への印刷機能に関して、ＭＦＰ１０ｂは、Ａ３〜Ａ６サイズの各用紙への印刷機能を有し、ＭＦＰ１０ｂでは、設定項目「出力サイズ」において、設定値「Ａ３サイズ」から設定値「Ａ６サイズ」までを設定することが可能である。ＭＦＰ１０ａは、Ａ３〜Ａ５サイズの各用紙への印刷機能を有し、ＭＦＰ１０ａでは、設定項目「出力サイズ」において設定値「Ａ３サイズ」から設定値「Ａ５サイズ」までを設定することが可能である。ただし、ＭＦＰ１０ａは、Ａ６サイズの用紙への印刷機能を有さず、ＭＦＰ１０ａでは、設定項目「出力サイズ」において設定値「Ａ６サイズ」を設定することができない。ＭＦＰ１０ｃは、Ａ４〜Ａ６サイズの各用紙への印刷機能を有し、ＭＦＰ１０ｃでは、設定項目「出力サイズ」において設定値「Ａ４サイズ」から設定値「Ａ６サイズ」までを設定することが可能である。ただし、ＭＦＰ１０ｃは、Ａ３サイズの用紙への印刷機能を有さず、ＭＦＰ１０ｃでは、設定項目「出力サイズ」において設定値「Ａ３サイズ」を設定することができない。
【００７１】
また、ＭＦＰ１０ｂは、ステープル機能を有するため、ＭＦＰ１０ｂでは、設定項目「ステープル」において設定値「ステープル有」を設定することが可能である。一方、ＭＦＰ１０ａ，１０ｃは、ステープル機能を有しないため、各ＭＦＰ１０ａ，１０ｃでは、設定項目「ステープル」において設定値「ステープル有」を設定することができない。
【００７２】
さらに、ＭＦＰ１０ａ〜１０ｃは、いずれも、パンチ機能を有しない。そのため、各ＭＦＰ１０ａ〜１０ｃでは、設定項目「パンチ」において設定値「パンチ有」を設定することができない。
【００７３】
つぎに、各管理対象装置における複数のスキャン関連機能の保有状況について説明する。
【００７４】
具体的には、ＭＦＰ１０ｂ，１０ｃは、フルカラースキャン機能を有する。一方、ＭＦＰ１０ａは、フルカラースキャン機能を有しない。そのため、フルカラースキャン機能に対応する設定項目「カラー」に関して、ＭＦＰ１０ｂ，１０ｃでは、設定値「フルカラー」を設定することが可能であるものの、ＭＦＰ１０ａでは、当該設定値「フルカラー」を設定することができない。なお、ＭＦＰ１０ａ〜１０ｃのそれぞれは、グレースケールスキャン機能を有し、ＭＦＰ１０ａ〜１０ｃのそれぞれにおいては、当該設定項目「カラー」に関して設定値「グレースケール」を設定することが可能である。
【００７５】
また、所定サイズの原稿のスキャン機能に関して、ＭＦＰ１０ｂは、Ａ３〜Ａ６サイズの各原稿のスキャン機能を有し、ＭＦＰ１０ｂでは、設定項目「入力サイズ」に関して設定値「Ａ３サイズ」から設定値「Ａ６サイズ」までを設定することが可能である。ＭＦＰ１０ａは、Ａ３〜Ａ５サイズの各原稿のスキャン機能を有し、ＭＦＰ１０ａでは、設定項目「入力サイズ」に関して設定値「Ａ３サイズ」から設定値「Ａ５サイズ」までを設定することが可能である。ただし、ＭＦＰ１０ａは、Ａ６サイズの原稿のスキャン機能を有さず、設定項目「入力サイズ」に関して設定値「Ａ６サイズ」を設定することができない。ＭＦＰ１０ｃは、Ａ４〜Ａ６サイズの各原稿のスキャン機能を有し、ＭＦＰ１０ｃでは、設定項目「入力サイズ」に関して設定値「Ａ４サイズ」から設定値「Ａ６サイズ」までを設定することが可能である。ただし、ＭＦＰ１０ｃは、Ａ３サイズの原稿のスキャン機能を有さず、設定項目「入力サイズ」に関して設定値「Ａ３サイズ」を設定することができない。
【００７６】
さらに、ＭＦＰ１０ａは、ファクシミリ機能を有するものの、ＭＦＰ１０ｂ，１０ｃは、ファクシミリ機能を有しない。そのため、ＭＦＰ１０ａでは、設定項目「ＦＡＸ（ファクシミリ）利用有無」に関して、設定値「ＦＡＸ利用」を設定することが可能であるものの、ＭＦＰ１０ｂ，１０ｃでは、当該設定値「ＦＡＸ利用」を設定することができない。
【００７７】
以上のように、管理サーバ９０では、各管理対象装置の保有機能が管理されている。当該保有機能は、後述するように、設定可能値相違項目の抽出処理において利用される。
【００７８】
＜管理システムにおける動作の詳細について＞
図４は、本システム１における動作を示すタイミングチャートである。図４等を参照しつつ、本システム１における動作の詳細について以下に説明する。
【００７９】
なお、上述したように、ここでは、ユーザＵ１が、（自らの判断で）ＭＦＰ１０ａの設置場所へと移動しながら、外部端末５０を用いて、所望のジョブ（たとえばコピージョブ）に関する設定を行う状況を想定する。
【００８０】
たとえば、ユーザＵ１は、自身の外部端末５０において設定操作アプリケーションのアイコンをタップして当該設定操作アプリケーションの起動指示を外部端末５０に付与する。そして、当該起動指示に応答して、外部端末５０は、設定操作アプリケーションを起動するとともに、トップメニュー画面２００（図７）の画面データの送信依頼を管理サーバ９０に送信する（ステップＳ１１）。
【００８１】
管理サーバ９０は、当該送信依頼に応答して、トップメニュー画面２００（図７）を生成するとともに、生成したトップメニュー画面２００の画面データ（ビットマップ画像データ等）を外部端末５０に送信する（ステップＳ２１）。
【００８２】
そして、外部端末５０は、管理サーバ９０から受信したトップメニュー画面２００をタッチパネル７５に表示する（ステップＳ１２）。
【００８３】
図７は、トップメニュー画面２００を示す図である。当該トップメニュー画面２００においては、複数の呼出ボタン２０１，２０２が配置されている。当該複数の呼出ボタン２０１，２０２は、複数のジョブ（ジョブの種類）の中からユーザによって指定されたジョブ（指定ジョブ）に関する設定画面を呼び出す（外部端末５０に表示させる）ためのユーザインターフェイス部品である。呼出ボタン２０１は、コピージョブに関する設定画面を呼び出すためのボタンであり、呼出ボタン２０２は、スキャンジョブに関する設定画面を呼び出すためのボタンである。なお、当該トップメニュー画面２００は、ユーザの所望のジョブを指定（選択）するための画面であり、ジョブ指定画面とも称される。
【００８４】
当該トップメニュー画面２００においてたとえばユーザＵ１が呼出ボタン２０１（コピージョブに関する設定画面を呼び出すためのボタン）を押下すると、外部端末５０は、当該トップメニュー画面２００におけるユーザＵ１の操作位置情報（押下位置情報）を管理サーバ９０に送信する（ステップＳ１３）（図５も参照）。
【００８５】
そして、管理サーバ９０は、外部端末５０からの当該操作位置情報に基づいて、ユーザＵ１の指定ジョブ（ここではコピージョブ）を取得し、次のようにして、指定ジョブに関する設定可能値相違項目を抽出する（ステップＳ２２）（図５も参照）。
【００８６】
具体的には、まず、管理サーバ９０は、所定の基準に基づいて、設定可能値相違項目の抽出処理（ステップＳ２２）における着目対象装置（抽出処理の処理対象装置）を複数の管理対象装置（たとえば１０台のＭＦＰ１０）の中から選択する。
【００８７】
詳細には、管理サーバ９０は、１０台の管理対象装置のうちユーザＵ１による利用経験を有するＭＦＰ１０を当該着目対象装置として選択する。換言すれば、ユーザＵ１による利用経験を有しないＭＦＰ１０は、着目対象装置から除外される。ここでは、ユーザＵ１は、ＭＦＰ１０ａ〜１０ｃの利用経験を有し（ＭＦＰ１０ａ〜１０ｃにログインしたことがあり）、当該ＭＦＰ１０ａ〜１０ｃが当該着目対象装置として選択される。
【００８８】
そして、管理サーバ９０は、複数の着目対象装置１０ａ〜１０ｃのそれぞれの保有機能に基づいて、ユーザＵ１の指定ジョブ（ここではコピージョブ）に関する複数の設定項目のうち、設定可能な設定値が少なくとも２つのＭＦＰ１０（着目対象装置）において相違する設定項目（設定可能値相違項目）を抽出する。
【００８９】
具体的には、管理サーバ９０は、複数の着目対象装置１０ａ〜１０ｃのそれぞれの保有機能に基づいて、保有状況相違機能（次述）を抽出し、抽出された保有状況相違機能に対応する設定項目を設定可能値相違項目として抽出する。当該保有状況相違機能は、ユーザＵ１の指定ジョブ（ここではコピージョブ）における複数の機能（指定ジョブにおける複数の関連機能）のうち、少なくとも２つの着目対象装置における保有状況が相違する機能である。詳細には、指定ジョブ（ここではコピージョブ）における或る機能（関連機能）について、複数の着目対象装置のうち当該或る機能を有する着目対象装置と当該或る機能を有しない着目対象装置とが存在する場合、管理サーバ９０は、当該或る機能を保有状況相違機能として抽出する。そして、管理サーバ９０は、抽出された保有状況相違機能に対応する設定項目を、指定ジョブに関する設定可能値相違項目として抽出する。
【００９０】
ここでは、上述したように（図８も参照）、ＭＦＰ１０ａとＭＦＰ１０ｃとは両面印刷機能を有するため、両面印刷機能に対応する設定項目「両面／片面」に関して、ＭＦＰ１０ａ，１０ｃでは、設定値「両面」を設定（入力）することが可能である。一方、ＭＦＰ１０ｂは両面印刷機能を有しないため、当該設定項目「両面／片面」に関して、ＭＦＰ１０ｂでは、当該設定値「両面」を設定することができない。換言すれば、設定項目「両面／片面」に関して設定可能な設定値が、着目対象装置１０ａ，１０ｃと着目対象装置１０ｂとにおいて相違する。この場合、管理サーバ９０は、当該両面印刷機能を保有状況相違機能として抽出し、当該両面印刷機能に対応する設定項目「両面／片面」を設定可能値相違項目として抽出する。
【００９１】
また、ＭＦＰ１０ｂ，１０ｃはフルカラー印刷機能を有するため、フルカラー印刷機能に対応する設定項目「カラー」に関して、ＭＦＰ１０ｂ，１０ｃでは、設定値「フルカラー」を設定することが可能である。一方、ＭＦＰ１０ａはフルカラー印刷機能を有しないため、設定項目「カラー」に関して、ＭＦＰ１０ａでは、設定値「フルカラー」を設定することができない。換言すれば、設定項目「カラー」に関して設定可能な設定値が、着目対象装置１０ｂ，１０ｃと着目対象装置１０ａとにおいて相違する。この場合、管理サーバ９０は、当該フルカラー印刷機能を保有状況相違機能として抽出し、当該フルカラー印刷機能に対応する設定項目「カラー」を設定可能値相違項目として抽出する。
【００９２】
同様にして、ここでは、設定項目「出力サイズ」と設定項目「ステープル」とが、設定可能値相違項目としてさらに抽出される。
【００９３】
なお、ＭＦＰ１０ａ〜１０ｃはパンチ機能を有さず（図８参照）、設定項目「パンチ」に関して設定可能な設定値は、当該ＭＦＰ１０ａ〜１０ｃにおいて相違しない。この場合、管理サーバ９０は、当該設定項目「パンチ」を設定可能値相違項目として抽出しない。
【００９４】
このようにして、複数の着目対象装置１０ａ〜１０ｃのそれぞれの保有機能に基づいて、ユーザＵ１の指定ジョブ（ここではコピージョブ）に関する設定可能値相違項目（ここでは４つの設定項目「両面／片面」、「カラー」、「出力サイズ」および「ステープル」）が抽出される（ステップＳ２２）。
【００９５】
なお、ここではコピージョブがユーザによって指定されているが、たとえばスキャンジョブがユーザによって指定された場合には、スキャンジョブに関する設定可能値相違項目が抽出される。具体的には、ＭＦＰ１０ｂ，１０ｃはフルカラースキャン機能を有するものの、ＭＦＰ１０ａは当該フルカラースキャン機能を有しない。そのため、管理サーバ９０は、当該フルカラースキャン機能に対応する設定項目「カラー」を、スキャンジョブに関する設定可能値相違項目として抽出する。また、Ａ３サイズの原稿のスキャン機能をＭＦＰ１０ｃが有しないことに基づいて、設定項目「入力サイズ」が設定可能値相違項目として抽出される。さらに、ファクシミリ機能をＭＦＰ１０ｂ，１０ｃが有しないことに基づいて、設定項目「ＦＡＸ利用有無」が設定可能値相違項目として抽出される。
【００９６】
設定可能値相違項目（ここではコピージョブに関する設定可能値相違項目）が抽出されると、管理サーバ９０は、指定ジョブに関する複数の設定画面のうち抽出された設定可能値相違項目に関する設定画面（設定可能値相違項目画面）を、ユーザＵ１の外部端末５０において優先的に（最初に）表示させる（ステップＳ２３，Ｓ１４）。具体的には、当該設定可能値相違項目に関する設定画面が、指定ジョブにおける複数の機能（関連機能）のうち保有状況が複数のＭＦＰ１０ａ〜１０ｃ間で相違しない機能（ここではパンチ機能）に関する設定画面よりも優先的にユーザＵ１の外部端末５０に表示される。換言すれば、当該設定可能値相違項目に関する設定画面が、指定ジョブに関する複数の設定項目のうち設定可能な設定値が複数のＭＦＰ１０ａ〜１０ｃにおいて相違しない設定項目（設定可能値相違項目以外の設定項目）の設定画面よりも優先的にユーザＵ１の外部端末５０に表示される。なお、当該設定可能値相違項目に関する設定画面は、外部端末５０において優先的に表示される設定画面であることから、優先設定画面とも称される。
【００９７】
詳細には、複数の設定可能値相違項目が抽出された場合、管理サーバ９０は、抽出された複数の設定可能値相違項目のうち、所定数（たとえば１つ）の設定可能値相違項目に関する設定画面を、優先設定画面として外部端末５０にて自動的に表示させる。なお、単一の設定可能値相違項目が抽出された場合は、管理サーバ９０は、当該単一の設定可能値相違項目に関する設定画面を優先設定画面として外部端末５０にて自動的に表示させる。
【００９８】
図１３は、ジョブの種類ごとに予め定められた優先順位を管理する優先順位管理テーブル６００（６０１）を示す図である。当該管理テーブル６００（６０１）は、管理サーバ９０によって管理されている。なお、ここでは、当該優先順位は、管理者等によって予め定められているものとする。
【００９９】
具体的には、当該管理テーブル６０１においては、コピージョブに関して、設定項目「カラー」、設定項目「両面／片面」、設定項目「出力サイズ」の順に優先順位が予め定められている。詳細には、コピージョブに関して、設定項目「カラー」の優先順位が最も高く、設定項目「両面／片面」の優先順位が２番目に高い。また、設定項目「出力サイズ」の優先順位が３番目に高い。
【０１００】
また、当該管理テーブル６０１においては、スキャンジョブに関して、設定項目「入力サイズ」、設定項目「ＦＡＸ利用有無」、設定項目「ファイル形式」の順に優先順位が予め定められている。詳細には、スキャンジョブに関して、設定項目「入力サイズ」の優先順位が最も高く、設定項目「ＦＡＸ利用有無」の優先順位が２番目に高い。また、設定項目「ファイル形式」の優先順位が３番目に高い。
【０１０１】
そして、管理サーバ９０は、当該管理テーブル６０１に基づいて、指定ジョブ（ここではコピージョブ）に関して予め定められた優先順位を有する複数の設定可能値相違項目のうち上位所定数の設定可能値相違項目に関する設定画面を、優先設定画面として外部端末５０にて自動的に表示させる。ここでは、管理サーバ９０は、抽出された複数の設定可能値相違項目（「両面／片面」、「カラー」、「出力サイズ」、「ステープル」）のうち、最も高い優先順位が付与された（最上位の）設定可能値相違項目（ここでは設定項目「カラー」）の設定画面が優先設定画面として外部端末５０にて表示される。
【０１０２】
具体的には、管理サーバ９０は、優先設定画面（ここでは設定項目「カラー」に関する設定画面）の画面データを生成して外部端末５０に送信する（ステップＳ２３）（図５も参照）。そして、当該外部端末５０は、管理サーバ９０からの画面データに基づいて、優先設定画面（ここでは「カラー」設定画面３１０（３１１））をタッチパネル７５に自動的に表示する（ステップＳ１４）（図５も参照）。図９は、コピージョブにおける優先設定画面（「カラー」設定画面３１０（３１１））を示す図である。
【０１０３】
このように、外部端末５０においては、コピージョブに関する複数の設定画面のうち設定可能値相違項目「カラー」に関する設定画面（「カラー」設定画面３１１）が、他の設定項目の設定画面よりも優先的に表示される。換言すれば、外部端末５０において、当該「カラー」設定画面３１１が、コピージョブに関する設定において最初に表示される。
【０１０４】
なお、スキャンジョブがユーザによって指定された場合は、管理サーバ９０は、スキャンジョブに関して予め定められた優先順位を有する複数の設定可能値相違項目のうち上位所定数（ここでは最上位）の設定可能値相違項目に関する設定画面を、優先設定画面として外部端末５０において優先的に表示させる。詳細には、設定項目「入力サイズ」に関する設定画面（「入力サイズ」設定画面３１３（図１９参照））が、外部端末５０において優先的に表示される。
【０１０５】
その後、ユーザＵ１は、外部端末５０にて自動的に表示された当該「カラー」設定画面３１１（優先設定画面）において設定可能値相違項目「カラー」に関する設定を行う。具体的には、ユーザＵ１は、設定項目「カラー」における複数の設定値に対応する複数のボタンのいずれかを押下して、設定項目「カラー」に関する設定を行う。ここでは、ユーザＵ１は、設定値「フルカラー」に対応するボタンを押下（選択）する。
【０１０６】
当該「カラー」設定画面３１１での設定操作が受け付けられると、外部端末５０は、当該「カラー」設定画面におけるユーザＵ１の操作位置情報（押下位置情報）を管理サーバ９０に送信する（ステップＳ１５）（図６も参照）。
【０１０７】
そして、管理サーバ９０は、外部端末５０からの操作位置情報に基づいて、設定可能値相違項目「カラー」に関してユーザＵ１によって設定された設定値（ここでは設定値「フルカラー」）を取得する。
【０１０８】
その後、管理サーバ９０は、各着目対象装置の保有機能と当該設定可能値相違項目の設定値とに基づいて、複数の着目対象装置のうち当該設定値「フルカラー」に対応する機能（フルカラー印刷機能）を実行することができないＭＦＰ１０（実行不可装置）を特定する（ステップＳ２４）（図６も参照）。ここでは、フルカラー印刷機能を有しないＭＦＰ１０ａ（図８参照）が実行不可装置として特定される。換言すれば、管理サーバ９０は、当該設定可能値相違項目の設定値に基づいて、着目対象装置を、当該設定値「フルカラー」に対応する機能（フルカラー印刷機能）を有するＭＦＰ１０（ここではＭＦＰ１０ｂ，１０ｃ）に絞り込む。
【０１０９】
そして、設定可能値相違項目「カラー」に関する設定がユーザＵ１によって行われると、次に、管理サーバ９０は、コピージョブに関する設定のトップ画面３００（図１０参照）の画面データを生成して外部端末５０に送信する。このトップ画面３００は、コピージョブに関する設定において本来的には最初に表示される画面である。ただし、ここでは、トップ画面３００は、優先設定画面（設定可能値相違項目「カラー」に関する設定画面（図９））の次に表示される。
【０１１０】
ここにおいて、上述したように、ユーザＵ１は、（自らの判断で）ＭＦＰ１０ａの設置場所へと移動している。ただし、ＭＦＰ１０ａは、実行不可装置として特定されたＭＦＰ１０であり、ユーザＵ１の所望の機能（ここではフルカラー印刷機能）を実行することができない。
【０１１１】
この場合、管理サーバ９０は、ユーザＵ１の移動先のＭＦＰがユーザＵ１の所望の機能（フルカラー印刷機能）を実行できない旨の実行不可情報を当該ユーザＵ１に通知する（ステップＳ２５，Ｓ１６）。
【０１１２】
具体的には、管理サーバ９０は、端末位置情報（外部端末５０の位置情報）を当該外部端末５０から取得し、当該端末位置情報に基づいて、外部端末５０のユーザＵ１の移動状況を判定する。より詳細には、管理サーバ９０は、各ＭＦＰ１０の設置場所（設置位置）を示す設置位置情報と当該端末位置情報とに基づいて、外部端末５０（外部端末５０のユーザＵ１）が実行不可装置（ここではＭＦＰ１０ａ）へと移動しているか否か、を判定する。そして、当該ＭＦＰ１０ａ（実行不可装置）の設置場所へとユーザＵ１が移動している旨が判定される場合、管理サーバ９０は、設定可能値相違項目に関して設定された設定値に対応する機能（ここではフルカラー印刷機能）をユーザＵ１の移動先のＭＦＰが実行できない旨の実行不可情報を当該ユーザＵ１に通知する。
【０１１３】
図１１は、ユーザＵ１の移動先のＭＦＰ１０（ここではＭＦＰ１０ａ）がユーザＵ１の所望の機能（設定可能値相違項目に関して設定された設定値に対応する機能）を実行できない旨のメッセージを含む通知画面（実行不可通知画面）４００を示す図である。管理サーバ９０は、当該実行不可通知画面４００の画面データを生成して外部端末５０に送信する（ステップＳ２５）（図６も参照）。そして、外部端末５０は、当該実行不可通知画面４００をトップ画面３００に重畳して表示する（ステップＳ１６）（図１１参照）。なお、実行不可装置（ここではＭＦＰ１０ａ）が特定された場合において、当該ＭＦＰ１０ａの設置場所へと当該ユーザＵ１が移動していない旨が判定されるときには、当該実行不可通知画面４００は外部端末５０に表示されない。
【０１１４】
その後、ユーザＵ１は、当該実行不可通知画面４００を確認し、ＭＦＰ１０ａへの移動を中止する。
【０１１５】
なお、設定可能値相違項目に関する設定（優先設定）が行われた後は、指定ジョブ（ここではコピージョブ）に関する複数の設定項目のうち任意の設定項目（設定可能値相違項目以外の設定項目）の設定が行われる。そして、管理サーバ９０は、ユーザＵ１による設定操作に応じて、ユーザＵ１の利用対象装置を絞り込む。たとえば、ユーザＵ１が任意の設定項目「両面／片面」に関して設定値「両面」を設定した場合、管理サーバ９０は、絞り込まれた後の着目対象装置（ここではＭＦＰ１０ｂ、１０ｃ）のうち当該設定値「両面」に対応する機能（両面印刷機能）を実行することが可能なＭＦＰ１０に、当該利用対象装置を絞り込む。ここでは、ＭＦＰ１０ｂ，１０ｃのうち両面印刷機能を実行することが可能なＭＦＰ１０ｃ（図８参照）のみにユーザＵ１の利用対象装置が絞り込まれる。
【０１１６】
その後、管理サーバ９０は、利用対象装置として絞り込まれたＭＦＰ１０（ここではＭＦＰ１０ｃ）をユーザＵ１に通知する。具体的には、利用対象装置（ＭＦＰ１０ｃ）を通知する利用対象通知画面４５０が外部端末５０に表示される（図１２参照）。なお、利用対象装置が複数のＭＦＰ１０に絞り込まれた場合は、全ての利用対象装置がユーザに通知されてもよく、一部の利用対象装置（たとえば複数の利用対象装置のうち外部端末５０から最も近い位置に配置されている装置）がユーザに通知されてもよい。
【０１１７】
そして、ユーザＵ１は、当該利用対象通知画面４５０を確認した後、利用対象装置（ここではＭＦＰ１０ｃ）の設置場所へと移動し、当該ＭＦＰ１０ｃは、ユーザＵ１による操作に応じて指定ジョブ（ここではコピージョブ）を実行する。なお、ユーザＵ１の外部端末５０にて設定された設定項目の設定値（設定可能値相違項目「カラー」に関する設定値「フルカラー」等）は、管理サーバ９０からＭＦＰ１０ｃに送信されて当該コピージョブにおける設定に反映される。
【０１１８】
以上のように、第１実施形態では、複数のＭＦＰ１０の少なくとも一部の装置の保有機能に基づいて、ユーザの指定ジョブ（ここではコピージョブ）に関する複数の設定項目のうち、設定可能な設定値が少なくとも２つのＭＦＰ１０において相違する設定項目（設定可能値相違項目）が抽出される。そして、抽出された設定可能値相違項目に関する設定画面３１０（ここでは「カラー」設定画面３１１）が、当該ユーザの外部端末５０に表示される。そのため、当該指定ジョブの設定において、当該指定ジョブに関する複数の設定項目のうち設定可能値相違項目（ここでは設定項目「カラー」）に関する設定操作がユーザによって早期に（最初に）行われる。その結果、指定ジョブに関する最初の設定操作によって、少なくとも１つのＭＦＰ１０（たとえばＭＦＰ１０ａ）が、当該設定可能値相違項目に関して設定された設定値に対応する機能（たとえばフルカラー印刷機能）を実行することができないＭＦＰ１０（実行不可装置）として特定される。したがって、ユーザの所望の機能を実行することができないＭＦＰ１０を早期に特定することが可能である。
【０１１９】
また、第１実施形態では、実行不可装置の設置場所へとユーザが移動している旨が判定される場合、設定可能値相違項目に関して設定された設定値に対応する機能（たとえばフルカラー印刷機能）を当該ユーザの移動先のＭＦＰ１０が実行できない旨が、当該ユーザに通知される。したがって、ユーザの所望の機能を実行することができないＭＦＰ１０（実行不可装置）の設置場所へと移動していることを当該ユーザに早期に通知することが可能である。ひいては、実行不可装置の設置場所へのユーザの移動を早期に中止させることが可能である。
【０１２０】
＜２．第２実施形態＞
第２実施形態は、第１実施形態の変形例である。以下では、第１実施形態との相違点を中心に説明する。
【０１２１】
上記第１実施形態では、複数の設定可能値相違項目が抽出された場合、予め定められた優先順位（図１３参照）を有する当該複数の設定可能値相違項目のうち、１つの（最上位の）設定可能値相違項目に関する設定画面が、外部端末５０において優先的に表示されている。
【０１２２】
これに対して、この第２実施形態では、複数の設定可能値相違項目が抽出された場合、当該優先順位を有する当該複数の設定可能値相違項目のうち、２以上の設定可能値相違項目を含む設定画面が、外部端末５０において優先的に表示される。
【０１２３】
具体的には、管理サーバ９０は、上記第１実施形態と同様にして指定ジョブに関する設定可能値相違項目を抽出した後、当該指定ジョブに関して予め定められた優先順位（図１３参照）を有する複数の設定可能値相違項目のうち、上位２つの設定可能値相違項目を含む設定画面を、優先設定画面として外部端末５０において優先的に表示させる。
【０１２４】
たとえば、コピージョブがユーザによって指定された場合、管理サーバ９０は、当該コピージョブに関して予め定められた優先順位を有する複数の設定可能値相違項目のうち、上位２つの設定可能値相違項目を含む設定画面を、優先設定画面として外部端末５０において自動的に且つ優先的に表示させる。ここでは、設定項目「カラー」と設定項目「両面／片面」との双方を含む設定画面（図１６参照）が、当該優先設定画面として外部端末５０において自動的に且つ優先的に表示される。図１６は、第２実施形態に係るコピージョブに関する優先設定画面３１０（３１２）を示す図である。図１６に示されるように、当該優先設定画面３１２には、設定項目「カラー」と設定項目「両面／片面」とが並列的に表示される。
【０１２５】
なお、スキャンジョブがユーザによって指定された場合は、管理サーバ９０は、当該スキャンジョブに関して予め定められた優先順位を有する複数の設定可能値相違項目のうち上位２つの設定可能値相違項目を含む設定画面を、優先設定画面として外部端末５０において自動的に且つ優先的に表示させる。たとえば、設定項目「入力サイズ」と設定項目「ＦＡＸ利用有無」との双方を含む設定画面（優先設定画面３１４（図２０参照））が、外部端末５０において自動的に且つ優先的に表示される。
【０１２６】
そして、ユーザＵ１は、外部端末５０にて自動的に表示された優先設定画面３１０において、設定可能値相違項目に関する設定を行う。ここでは、ユーザＵ１は、コピージョブに関する優先設定画面３１２において、設定項目「カラー」に関して設定値「フルカラー」を選択し、設定項目「両面／片面」に関して設定値「両面」を選択する。
【０１２７】
その後、管理サーバ９０は、優先設定画面３１２における操作位置情報に基づいて、コピージョブに関する設定可能値相違項目「カラー」の設定値（ここでは「フルカラー」）と設定可能値相違項目「両面／片面」の設定値（ここでは「両面」）とを取得する。
【０１２８】
そして、管理サーバ９０は、当該設定可能値相違項目（ここでは「カラー」および「両面／片面」）の設定値に基づいて、実行不可装置を特定する。具体的には、管理サーバ９０は、フルカラー印刷機能を有しないＭＦＰ１０（ここではＭＦＰ１０ａ）と両面印刷機能を有しないＭＦＰ１０（ここではＭＦＰ１０ｂ）とを実行不可装置として特定する。
【０１２９】
以上のように、第２実施形態では、外部端末５０において、２以上の設定可能値相違項目（ここでは２つの設定可能値相違項目）を含む設定画面が優先的に（指定ジョブの設定において最初に）表示される。そして、当該２つの設定可能値相違項目に関してユーザによって設定された各設定値に基づいて、２つの機能（指定ジョブの関連機能）のうちの少なくとも１つの機能を有しないＭＦＰ１０（ここではＭＦＰ１０ａ，１０ｂ）が、実行不可装置として特定される。端的に言えば、指定ジョブに関して優先的に行われた設定操作（優先設定画面に対する設定操作）によって、より多くのＭＦＰ１０が実行不可装置として特定され得る。したがって、ユーザの所望の機能を実行することができないＭＦＰ１０をより多く特定する可能性を高めつつ、ユーザの所望の機能を実行することができないＭＦＰ１０を早期に特定することが可能である。
【０１３０】
なお、上記第２実施形態では、２つの設定可能値相違項目を一画面内に含む設定画面が優先設定画面として生成されているが、これに限定されず、当該２つの設定可能値相違項目に関する各設定画面が別個の優先設定画面として生成されてもよい。具体的には、管理サーバ９０は、設定可能値相違項目「カラー」に関する設定画面を最初に外部端末５０に自動的に表示させ、その次に、設定可能値相違項目「両面／片面」に関する設定画面を外部端末５０に自動的に表示させるようにしてもよい。
【０１３１】
また、上記第２実施形態等では、２つの設定可能値相違項目に関する設定画面が優先設定画面として外部端末５０に表示されているが、これに限定されず、３つ以上の設定可能値相違項目に関する設定画面が優先設定画面として外部端末５０に表示されてもよい。
【０１３２】
＜３．第３実施形態＞
第３実施形態は、第１実施形態の変形例である。以下では、第１実施形態との相違点を中心に説明する。
【０１３３】
上記第１実施形態では、複数の設定可能値相違項目の優先順位は、管理者等によって予め定められている。
【０１３４】
これに対して、この第３実施形態では、複数の設定可能値相違項目の優先順位は、デフォルト値から設定変更された回数（設定変更回数）が多いほど高い順位を有するように定められる。
【０１３５】
図１４は、設定変更回数に関する優先順位を管理する設定変更回数管理テーブル６１０を示す図である。
【０１３６】
たとえば、他のコピージョブに関する設定において、設定項目「カラー」に関してデフォルト値（たとえば設定値「グレースケール」）から別の設定値（たとえば設定値「フルカラー」）に設定変更されると、管理サーバ９０は、当該設定項目「カラー」における設定変更回数をインクリメントする（更新する）。また、さらに別のコピージョブの設定において、設定項目「両面／片面」に関してデフォルト値（たとえば設定値「片面」）から別の設定値（たとえば設定値「両面」）に設定変更されると、管理サーバ９０は、当該設定項目「両面／片面」における設定変更回数をインクリメントする（更新する）。
【０１３７】
このように、管理サーバ９０は、コピージョブにおける複数の設定項目に関する設定変更履歴に基づいて、各設定項目における設定変更回数を管理するとともに、当該設定変更回数に関する優先順位を設定変更回数管理テーブル６１０を用いて管理する。また、スキャンジョブについても、同様に、管理サーバ９０は、スキャンジョブにおける複数の設定項目に関する設定変更回数を管理する。
【０１３８】
ここでは、コピージョブに関して、設定項目「両面／片面」の設定変更回数が最も多く、設定項目「カラー」の設定変更回数が２番目に多い。また、設定項目「出力サイズ」の設定変更回数が３番目に多い。そのため、当該管理テーブル６１０においては、コピージョブに関して、設定項目「両面／片面」、設定項目「カラー」、設定項目「出力サイズ」の順に優先順位が定められる。また、スキャンジョブに関して、ここでは、設定項目「カラー」、設定項目「ファイル形式」、設定項目「入力サイズ」の順に優先順位が定められる。
【０１３９】
そして、管理サーバ９０は、当該管理テーブル６１０に基づいて、ユーザの指定ジョブに関して定められた優先順位を有する複数の設定可能値相違項目のうち、上位所定数（たとえば最上位）の設定可能値相違項目に関する設定画面を、外部端末５０にて自動的に且つ優先的に表示させる。
【０１４０】
たとえば、コピージョブがユーザによって指定された場合、管理サーバ９０は、複数の設定可能値相違項目のうち、コピージョブに関して設定変更回数が最も多い設定可能値相違項目（ここでは「両面／片面」）に関する設定画面（不図示）を外部端末５０にて自動的に且つ優先的に表示させる。
【０１４１】
また、スキャンジョブがユーザによって指定された場合は、管理サーバ９０は、複数の設定可能値相違項目のうち、スキャンジョブに関して設定変更回数が最も多い設定可能値相違項目（ここでは「カラー」）に関する設定画面（不図示）を外部端末５０にて自動的に且つ優先的に表示させる。
【０１４２】
以上のように、第３実施形態では、設定変更回数が多いほど高い順位を有するように複数の設定可能値相違項目の優先順位が定められる。そのため、抽出された複数の設定可能値相違項目のうち、ユーザによって設定変更される可能性が比較的高い設定可能値相違項目に関する設定画面が、優先設定画面として外部端末５０において自動的に表示される。詳細には、ユーザによって設定変更が頻繁に行われている設定可能値相違項目（たとえば「両面／片面」）は、今回のジョブ（たとえばコピージョブ）の設定においてもユーザによって設定変更される可能性が比較的高い。この第３実施形態では、外部端末５０において、このような設定可能値相違項目に関する設定画面が、ユーザによる表示指示に基づく表示ではなく、自動的に表示される。したがって、ユーザの利便性を考慮しつつ、ユーザの所望の機能を実行することができないＭＦＰ１０を早期に特定することが可能である。
【０１４３】
なお、上記第３実施形態において、さらに、設定変更回数がユーザごとに管理されていてもよい。
【０１４４】
図１５は、コピージョブにおけるユーザごとの設定変更回数を管理する設定変更回数管理テーブル６２０を示す図である。
【０１４５】
たとえば、コピージョブがユーザＵ１によって指定された場合、管理サーバ９０は、複数の設定可能値相違項目のうち、コピージョブに関してユーザＵ１による設定変更回数が最も多い設定可能値相違項目（たとえば「カラー」）に関する設定画面（図９参照）を外部端末５０にて優先的に表示させる。また、コピージョブがユーザＵ２によって指定された場合は、管理サーバ９０は、複数の設定可能値相違項目のうち、コピージョブに関してユーザＵ２による設定変更回数が最も多い設定可能値相違項目（たとえば「出力サイズ」）に関する設定画面（不図示）を外部端末５０にて優先的に表示させる。
【０１４６】
このように、設定変更回数がユーザごとに管理されていてもよい。
【０１４７】
また、ここでは、上記第３実施形態が第１実施形態の変形例として例示されているが、これに限定されず、第３実施形態の思想が第２実施形態に適用されてもよい。
【０１４８】
＜４．変形例等＞
以上、この発明の実施の形態について説明したが、この発明は上記内容のものに限定されるものではない。
【０１４９】
＜ＰＣプリントジョブに関する変形例＞
たとえば、上記各実施形態等においては、管理サーバ９０で生成された設定画面を外部端末５０に表示させる場合において、設定可能値相違項目に関する設定画面の優先表示が行われているが、これに限定されない。具体的には、外部端末５０にインストールされたプリンタドライバにおける設定画面を外部端末５０が表示する場合において、設定可能値相違項目に関する設定画面の優先表示が行われてもよい。
【０１５０】
詳細には、外部端末５０は、プリンタドライバの起動に応答して、ＰＣプリントジョブ（外部端末５０（プリンタドライバ）からの実行指令に基づき印刷対象データを特定のＭＦＰ１０にて印刷出力するプリントジョブ）がユーザによって指定された旨のジョブ指定情報を管理サーバ９０に送信する。
【０１５１】
そして、管理サーバ９０は、複数の着目対象装置（たとえばＭＦＰ１０ａ〜１０ｃ）のそれぞれの保有機能（ＰＣプリントジョブに関する複数の機能（ＰＣプリント関連機能）の保有状況）に基づいて、当該ＰＣプリントジョブに関する設定可能値相違項目を抽出する。たとえば、ＭＦＰ１０ａ，１０ｃが或るＰＣプリント関連機能（たとえば両面印刷機能）を有するもののＭＦＰ１０ｂが当該両面印刷機能を有しないこと（図８も参照）に基づいて、当該両面印刷機能に対応する設定項目「両面／片面」が設定可能値相違項目として抽出される。
【０１５２】
その後、管理サーバ９０は、指定ジョブ（ＰＣプリントジョブ）に関して予め定められた優先順位（図１８参照）を有する複数の設定可能値相違項目のうち、上位所定数（たとえば最上位）の設定可能値相違項目（たとえば設定項目「出力サイズ」）に関する設定画面を、優先設定画面として外部端末５０にて自動的に且つ優先的に表示させる。なお、図１８は、変形例に係る優先順位管理テーブル６００（６０２）を示す図である。
【０１５３】
具体的には、管理サーバ９０は、優先設定画面（ここでは設定項目「出力サイズ」に関する設定画面）を（優先的に）表示すべき旨の表示指令を外部端末５０に送信し、外部端末５０（プリンタドライバ）は、当該表示指令に応答して、設定項目「出力サイズ」に関する設定画面（不図示）を自動的に且つ他の設定画面よりも優先的に表示する。
【０１５４】
そして、外部端末５０は、設定項目「出力サイズ」に関するユーザによる設定操作に応答して、当該設定項目「出力サイズ」に関して当該ユーザによって設定された設定値を示す設定値情報を管理サーバ９０に送信する。その後、管理サーバ９０は、当該設定値情報に基づき当該設定値を取得するとともに、取得した設定値に基づき実行不可装置を特定する。
【０１５５】
このように、外部端末５０のプリンタドライバにおける設定画面を当該外部端末５０が表示する場合において、設定可能値相違項目に関する設定画面の優先表示が行われるようにしてもよい。
【０１５６】
＜着目対象装置の選択に関する変形例＞
また、上記各実施形態等においては、複数の管理対象装置のうちユーザ（たとえばユーザＵ１）による利用経験を有するＭＦＰ１０が、設定可能値相違項目の抽出処理（ステップＳ２２）における着目対象装置として選択されているが、これに限定されない。
【０１５７】
たとえば、複数の管理対象装置（たとえば１０台の管理対象装置）のうち、外部端末５０から所定範囲内（所定距離（たとえば３０メートル）の範囲内）に存在するＭＦＰ１０が、当該着目対象装置として選択されてもよい。
【０１５８】
具体的には、管理サーバ９０は、設定可能値相違項目の抽出処理（ステップＳ２２）に際して、外部端末５０の端末位置情報と管理対象装置の設置位置情報とに基づいて、複数の管理対象装置のうち、外部端末５０から所定範囲内に存在するＭＦＰ１０（たとえばＭＦＰ１０ａ，１０ｃ）を着目対象装置として選択するようにしてもよい。
【０１５９】
あるいは、複数の管理対象装置のうちユーザの指定ジョブの実行可能状態（実行することが可能な状態）を有するＭＦＰ１０が、着目対象装置として特定されるようにしてもよい。
【０１６０】
具体的には、管理サーバ９０は、管理対象装置の状態を管理している。図１７は、各管理対象装置の状態を管理する状態管理テーブル５５０を示す図である。たとえば、ＭＦＰ１０ａにおいて用紙の搬送経路上等で紙詰まりが発生すると、当該ＭＦＰ１０ａは、自装置１０ａがコピー関連機能に関して異常状態（エラー状態）を有する旨を管理サーバ９０に通知し、管理サーバ９０は、ＭＦＰ１０ａがコピー関連機能に関する異常状態を有する旨を状態管理テーブル５５０に登録する。また、たとえばＭＦＰ１０ａにおいて消耗品切れ（トナー切れ等）が発生すると、当該ＭＦＰ１０ａは、自装置１０ａがトナー切れ状態を有する旨を管理サーバ９０に通知し、管理サーバ９０は、当該ＭＦＰ１０ａがトナー切れ状態を有する旨を状態管理テーブル５５０に登録する。
【０１６１】
そして、管理サーバ９０は、この状態管理テーブル５５０に基づいて、複数の管理対象装置（たとえば１０台の管理対象装置）のうちユーザの指定ジョブ（たとえばコピージョブ）の実行可能状態を有するＭＦＰ１０を着目対象装置として選択する。
【０１６２】
たとえば、図１７に示されるように、ＭＦＰ１０ａは、コピー関連機能に関して異常状態（たとえば紙詰まりによる異常状態）を有するとともに、消耗品切れ状態（たとえばトナー切れ状態）をも有している。この場合、管理サーバ９０は、当該ＭＦＰ１０ａがコピージョブの実行不可状態（実行することができない状態）を有する旨を判定する。なお、コピージョブの実行不可状態には、コピー関連機能に関する異常状態（たとえば紙詰まり状態）と消耗品切れ状態（たとえばトナー切れ状態）とが含まれる。一方、ＭＦＰ１０ｂ，１０ｃは、コピー関連機能に関して正常状態を有するとともに、消耗品切れ状態を有していない。この場合、管理サーバ９０は、ＭＦＰ１０ｂ，１０ｃがコピージョブの実行可能状態を有する旨を判定し、当該ＭＦＰ１０ｂ，１０ｃを着目対象装置として選択する。
【０１６３】
このように、複数の管理対象装置のうちユーザの指定ジョブの実行可能状態を有するＭＦＰ１０が、着目対象装置として特定されてもよい。
【０１６４】
＜ユーザへの通知に関する変形例＞
さらに、上記各実施形態等においては、設定可能値相違項目に関して設定された設定値に対応する機能を実行できない装置（実行不可装置）として特定されたＭＦＰ１０の設置場所へとユーザが移動している旨が判定される場合に、実行不可情報が当該ユーザに通知されている（図１１参照）が、これに限定されない。
【０１６５】
たとえば、（ユーザの移動状況にかかわらず、）実行不可装置として特定されたＭＦＰ１０が当該ユーザに通知されるようにしてもよい。具体的には、たとえばＭＦＰ１０ａとＭＦＰ１０ｂとが実行不可装置として特定された場合、ユーザがいずれのＭＦＰ１０に移動しているか否かにかかわらず、当該ＭＦＰ１０ａとＭＦＰ１０ｂとが実行不可装置である旨が当該ユーザに通知されるようにしてもよい。
【０１６６】
また、実行不可装置のみならず、複数の着目対象装置のうち設定可能値相違項目に関して設定された設定値に対応する機能を実行することが可能なＭＦＰ１０（実行可能装置）もが、ユーザに通知されてもよい。
【０１６７】
具体的には、管理サーバ９０は、各着目対象装置（たとえばユーザによる利用経験を有するＭＦＰ１０）の保有機能と設定可能値相違項目に関して設定された設定値とに基づいて、複数の着目対象装置のうち設定可能値相違項目に関して設定された設定値に対応する機能を実行することが可能なＭＦＰ１０（実行可能装置）を特定する。たとえば、コピージョブに関する設定可能値相違項目（たとえば設定項目「カラー」）に関して設定値「フルカラー」が設定された場合、フルカラー印刷機能を実行することが可能なＭＦＰ１０（ＭＦＰ１０ｂ，１０ｃ（図８参照））が実行可能装置として特定される。
【０１６８】
そして、管理サーバ９０は、特定された実行可能装置の少なくとも１つ（たとえば全ての実行可能装置（ここではＭＦＰ１０ｂ，１０ｃ））を当該ユーザに通知する（図２１参照）。図２１は、実行不可装置と実行可能装置とをユーザに通知する通知画面４１０を示す図である。なお、複数の実行可能装置が存在する場合、全ての実行可能装置がユーザに通知されてもよく、一部の実行可能装置（たとえばユーザ（外部端末５０）から最も近い位置に配置されている実行可能装置）が当該ユーザに通知されてもよい。
【０１６９】
実行可能装置に関する通知が行われることによれば、次のような効果を得ることが可能である。
【０１７０】
たとえば、ユーザによる利用経験を有するＭＦＰ１０が着目対象装置として選択される場合において、実行可能装置に関する通知が行われるときには、ユーザがその設置場所を知っているＭＦＰ１０を実行可能装置として当該ユーザに通知することが可能である。
【０１７１】
具体的には、ユーザは、利用経験を有しないＭＦＰ１０の設置場所を知らない可能性が比較的高い。そのため、仮に、このようなＭＦＰ１０（ユーザによる利用経験を有しないＭＦＰ１０）が実行可能装置として特定されて当該ユーザに通知された場合、当該ユーザは、実行可能装置の設置場所が判らず、当該実行可能装置へと移動できない恐れがある。
【０１７２】
これに対して、ユーザは、利用経験を有するＭＦＰ１０の設置場所を知っている可能性が比較的高い。そのため、ユーザによる利用経験を有するＭＦＰ１０の中から実行可能装置が特定されてユーザに通知される場合、ユーザがその設置場所を知っている可能性が比較的高いＭＦＰ１０を実行可能装置として当該ユーザに通知することが可能である。ひいては、当該ユーザは、実行可能装置として特定されたＭＦＰ１０の設置場所へと迷わずに移動することが可能である。
【０１７３】
また、指定ジョブの実行可能状態を有するＭＦＰ１０が着目対象装置として選択される場合において、実行可能装置に関する通知が行われるときには、設定可能値相違項目に関して設定された設定値に対応する機能自体は有するものの当該指定ジョブの実行不可状態を有するＭＦＰ１０が実行可能装置としてユーザに通知されることがない。たとえば、コピージョブが指定ジョブとして指定された場合、設定可能値相違項目に関して設定された設定値（たとえばフルカラー印刷機能）自体は有するものの当該コピージョブの実行不可状態（たとえばエラー状態）を有するＭＦＰ１０は、着目対象装置から除外され、当該実行可能装置として通知されることがない。したがって、ユーザの指定ジョブの実行可能状態を有するＭＦＰ１０を実行可能装置として当該ユーザに通知することが可能である。
【０１７４】
さらに、外部端末５０から所定範囲内に存在するＭＦＰ１０が着目対象装置として選択される場合において、実行可能装置に関する通知が行われるときには、ユーザの比較的近傍に存在するＭＦＰ１０を実行可能装置として当該ユーザに通知することが可能である。
【０１７５】
＜その他＞
また、上記各実施形態等においては、複数の管理対象装置のうちの一部のＭＦＰ１０が着目対象装置として選択されているが、これに限定されず、当該複数の管理対象装置の全部が着目対象装置として選択されるようにしてもよい。
【０１７６】
さらに、上記各実施形態等においては、ユーザによる設定操作が当該ユーザの外部端末５０にて行われているが、これに限定されず、たとえば、当該設定操作が複数のＭＦＰ１０のうちの一のＭＦＰ１０にて行われてもよい。換言すれば、上記各実施形態等では、ユーザの外部端末５０が設定操作装置（ユーザによる設定操作を受け付ける装置）として用いられているが、これに限定されず、ＭＦＰ１０の操作パネル部６ｃが設定操作装置として用いられてもよい。
【０１７７】
具体的には、ユーザは、或るＭＦＰ１０（たとえばＭＦＰ１０ａ）のタッチパネル２５に表示されたトップメニュー画面（図７も参照）において、たとえばコピージョブを指定する。そして、ＭＦＰ１０ａは、コピージョブがユーザによって指定された旨のジョブ指定情報を管理サーバ９０に送信する。
【０１７８】
その後、管理サーバ９０は、上記各実施形態等と同様にして指定ジョブ（ここではコピージョブ）に関する設定可能値相違項目を抽出し、抽出された設定可能値相違項目（たとえば設定項目「カラー」）に関する設定画面を示す画面情報（たとえば画面ＩＤ）をＭＦＰ１０ａに送信する。
【０１７９】
当該ＭＦＰ１０ａは、当該画面ＩＤに基づいて、設定可能値相違項目（設定項目「カラー」）に関する設定画面（優先設定画面）（図９も参照）をタッチパネル２５に自動的に且つ優先的に表示し、ユーザによる設定操作を受け付ける。
【０１８０】
そして、たとえば当該設定可能値相違項目「カラー」に関して設定値「フルカラー」が設定された場合において、ＭＦＰ１０ａがフルカラー印刷機能を有しないときには、管理サーバ９０は、実行不可通知画面４００（図１１参照）をＭＦＰ１０ａのタッチパネル２５に表示させる。その後、ユーザは、当該実行不可通知画面４００を確認した後、別のＭＦＰ１０（たとえばＭＦＰ１０ｃ）へと移動する（あるいは、利用対象装置が特定されるまでＭＦＰ１０ａを利用する）。
【０１８１】
このように、ユーザによる設定操作がＭＦＰ１０の操作パネル部６ｃを用いて行われてもよい。
【０１８２】
また、上記各実施形態等においては、管理サーバ９０が、複数のＭＦＰ１０を管理するとともに、図４のステップＳ２１〜Ｓ２５の処理等を実行しているが、これに限定されない。たとえば、当該複数のＭＦＰ１０のうちの一のＭＦＰ１０が、自装置を含む複数のＭＦＰ１０を管理するとともに、図４のステップＳ２１〜Ｓ２５の処理等を実行するようにしてもよい。
【符号の説明】
【０１８３】
１  管理システム
１０  画像処理装置（ＭＦＰ）
５０  外部端末（設定操作装置）
９０  管理サーバ
２００  トップメニュー画面
３１０  優先設定画面
４００  実行不可通知画面
【図１】
2018190056.tif 000003
【図２】
2018190056.tif 000004
【図３】
2018190056.tif 000005
【図４】
2018190056.tif 000006
【図５】
2018190056.tif 000007
【図６】
2018190056.tif 000008
【図７】
2018190056.tif 000009
【図８】
2018190056.tif 000010
【図９】
2018190056.tif 000011
【図１０】
2018190056.tif 000012
【図１１】
2018190056.tif 000013
【図１２】
2018190056.tif 000014
【図１３】
2018190056.tif 000015
【図１４】
2018190056.tif 000016
【図１５】
2018190056.tif 000017
【図１６】
2018190056.tif 000018
【図１７】
2018190056.tif 000019
【図１８】
2018190056.tif 000020
【図１９】
2018190056.tif 000021
【図２０】
2018190056.tif 000022
【図２１】
2018190056.tif 000023